【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
自蔵動力式スイッチシステムであって、
可撓性張力変換器を具え、該可撓性張力変換器は
電極を有する対向する第１、第２の主要表面を有する第１の電気作動式部材を具え、
前記第１主要表面は実質的に凸面をなし、前記第２主要表面は実質的に凹面をなし、
前記第１電気作動式部材の前記第２主要表面に接合されたプレストレス層を具え、
前記プレストレス層は前記電気作動式部材に圧縮力を印加し、
前記プレストレス層は、前記第１前記電気作動式部材の前記凹面に隣接して、第１及び第２端を有し、
前記可撓性張力変換器は、前記可撓性張力変換器に力が加わると第１位置から第２位置に変形するように構成され、そして
前記第２位置に変形すると、前記可撓性張力変換器は前記第１主要電極表面と第２主要電極表面との間に第１電圧を発生するように構成され、
前記プレストレス層の前記第１端を維持するための装着部材を具え、
該装着部材は前記プレストレス層の前記第１端と前記可撓性張力変換器の前記凸面とに隣接するプレートを具え、
前記装着部材は前記プレストレス層の前記第１端と前記可撓性張力変換器の前記凹面とに隣接する把持手段を具え、
力を前記プレストレス層の前記第２端に加えるための圧力付与手段であって、前記可撓性張力変換器を前記第１位置から前記第２位置まで変形させて、前記第１電圧を発生させるように構成された圧力付与手段を具え、
前記第１電気作動式部材の前記第１電極主要表面に電気的に接続する第１導体を具え、
前記第１電気作動式部材の前記第２電極主要表面に電気的に接続する第２導体を具え、
前記第１及び第２導体に電気的に接続された第１信号送信手段を具え、
該第１信号送信手段はアンテナに接続された第１無線周波数発生器補助回路を具え、
前記第１信号送信手段によって送信された第１信号を受信する信号受信手段を具え、
該信号受信手段は、前記信号送信手段によって送信された前記第１信号に呼応して第２信号を発生するように構成され、
第１位置と第２位置を有するスイッチを具え、
該スイッチは前記信号受信手段に通じており、
前記スイッチは前記第２信号に呼応して前記第１位置と前記第２位置との間で変化するように構成されている自蔵動力式スイッチシステム。
【請求項２】
前記装着手段が、更に前記プレートに凹んだ表面を形成する凹部を具え、該凹んだ表面は、前記プレストレス層の前記第１端と前記電気作動式部材とに隣接する前記可撓性張力変換器の前記凸面の少なくとも一部に実質的に順応し、
前記凹部内に導体シートを具え、該導体シートは前記電気作動式部材の前記第１主要電極表面と前記第１導体とに電気的に接触している請求項１記載のスイッチシステム。
【請求項３】
前記装着手段が、更に前記プレートの前記凹部内に可撓性材料を具え、該可撓性材料は前記凹んだ表面と前記導体シートとの間に配置されている請求項２に記載のスイッチシステム。
【請求項４】
更に、
入力側と出力側を有する電圧調整器を具え、
前記電圧調整器の前記入力側は前記第１、第２導体に電気的に接続され、
前記電圧調整器の前記出力側は前記信号送信手段に電気的に接続されている請求項３に記載のスイッチシステム。
【請求項５】
更に、
前記可撓性張力変換器に並列に接続された陽極と陰極を有するダイオードを具え、
該ダイオードの前記陰極は前記第１導体と前記電圧調整器の前記入力側に電気的に接続され、
前記ダイオードの前記陽極は前記第２導体と前記電圧調整器の前記入力側に電気的に接続され、
前記ダイオードは前記第１電気作動式部材の第１及び第２主要電極表面に並列に接続されている請求項４に記載のスイッチシステム。
【請求項６】
前記信号送信手段が、更に
入力側と出力側とを有するトーン発生器補助回路を具え、
前記トーン発生器補助回路の前記入力側は前記電圧調整器の前記出力側に接続され、
前記トーン発生器補助回路の前記出力側は前記第１無線周波数発生器補助回路に接続されている請求項５に記載のスイッチシステム。
【請求項７】
前記トーン発生器補助回路が、
入力側と出力側とを有する振動アレーを具え、
該振動アレーの前記入力側が前記電圧調整器の前記出力側に接続され、
接地されたエミッタと前記振動アレーの前記出力側とに接続されたベースとを有するトランジスタを具え、
前記第１無線周波数発生器補助回路が第１及び第２の接続部を有する共振補助回路を具え、
前記共振補助回路の前記第１接続部が前記電圧調整器に接続され、
前記共振補助回路の前記第２接続部が前記トランジスタのコレクタに接続されている請求項６に記載のスイッチシステム。
【請求項８】
前記無線周波数発生器補助回路が更に、
前記電圧調整器の前記出力側と前記共振補助回路との間に直列に接続されたチョークを具えている請求項７に記載のスイッチシステム。
【請求項９】
前記共振補助回路が、
第１及び第２プレートを有する第１コンデンサと、
第１及び第２端を有する第３導体のコイルループとを具え、
前記第１コンデンサの前記第１プレートは前記第３導体の前記第１端に接続されて、前記共振補助回路の前記第１接続部を形成している請求項８に記載のスイッチシステム。
【請求項１０】
前記共振補助回路が、更に、
前記第３導体にそれぞれが接続された第１及び第２端を有する第６の導体を具えた同調ジャンパを具え、
該同調ジャンパは前記第１及び第２端に枢支されて、前記第３導体に対して回動するように構成されている請求項９に記載のスイッチシステム。
【請求項１１】
自蔵動力式スイッチシステムであって、
第１及び第２端を有する電気作動式変換器を具え、該電気作動式変換器は
電極を有する対向する第１、第２の主要表面を有する第１の電気作動式部材と、
該第１電気作動式部材の前記第２主要表面に接合された可撓性基板とを具え、
該可撓性基板は前記第１電気作動式部材の前記第１及び第２端に隣接する第１及び第２端を有し、
前記電気作動式変換器は、これに力が加えられた場合、第１位置から第２位置に変形するように構成され、
そして、前記電気作動式変換器は、これから前記力が解放された場合、前記第１位置から前記第２位置まで復帰するように構成され、
そして、前記第１及び第２位置の間において前記変形と復帰が行われた場合、前記電気作動式変換器は、電極付きの前記第１及び第２主要表面の間に振動電圧ポテンシャルを発生させるように構成され、
前記電気作動式変換器の前記第１端を保持する装着部材を具え、
該装着部材は、前記可撓性基板の前記第１端と前記第１電気作動式部材の前記第１主要表面に隣接するプレートを具え、
前記装着部材は、前記可撓性基板の前記第１端に隣接し、前記第１電気作動式部材の前記第２主要表面と反対の側に保持手段を具え、
前記電気作動式変換器の前記第２端に力を付与するための圧力付与手段を具え、該圧力付与手段は、前記電気作動式変換器を前記第１位置から前記第２位置まで変形させるのに充分な力を付与するように構成され、これによって第１電圧ポテンシャルを発生させ、
前記第１電気作動式部材の前記電極付き第１主要表面に電気的に接続された第１導体と、
前記第１電気作動式部材の前記電極付き第２主要表面に電気的に接続された第２導体と、
前記第１及び第２導体の間に、前記電気作動式変換器の前記電極付き第１及び第２主要表面に並列に電気接続されこ整流器と、
入力側と出力側とを有する電圧調整器とを具え、
該電圧調整器の前記入力側は前記整流器の出力側に電気接続され、
前記電圧調整器の前記出力側に電気接続された第１信号送信手段を具え、
該第１信号送信手段は、アンテナに接続された第１の無線周波数発生器補助回路を具え、
前記第１信号送信手段によって送信された第１信号を受信する信号受信手段を具え、
該信号受信手段は、前記第１信号送信手段によって送信された前記第１信号に呼応する第２信号を発生するように構成され、
第１位置と第２位置とを有するスイッチを具え、
該スイッチは前記信号受信手段に通じており、
該スイッチは、前記第２信号に呼応して前記第１位置と前記第２位置との間で変わるように構成されている自蔵動力式スイッチシステム。
【請求項１２】
前記電気作動式変換器が、圧電式変換器、強誘電体変換器、ユニモルフ、バイモルフ、モノモルフベンダ、非対称応力付勢型電気作動式装置、プレストレス付与型電気作動式装置、レインボー変換器、ムーニー変換器、サンダーアクチュエータからなる群から選ばれている請求項１１に記載のスイッチシステム。
【請求項１３】
前記圧力付与手段が、更に
前記電気作動式変換器の前記第２端の前記力を除去する解放手段を具え、該解放手段は、前記第２位置において前記力を除去するように構成され、
前記可撓性基板は、前記電気作動式変換器を前記第１位置に戻すように構成された復元力を有する金属基板を具え、
前記電気作動式変換器の前記第２端から前記力が除去されると、前記金属基板の前記復元力が前記電気作動式変換器を前記第１位置を経て第３位置まで戻し、減衰的に前記第１位置まで振動させ、それによって前記振動電圧ポテンシャルを発生させる請求項１１に記載のスイッチシステム。
【請求項１４】
前記信号送信手段が、更に
入力側と出力側を有するトーン発生器補助回路を具え
前記トーン発生器の補助回路の前記入力側は、前記電圧調整器の前記出力側に接続され、
前記トーン発生器の補助回路の前記出力側は、前記第１無線周波数発生器補助回路に接続されている請求項１１に記載のスイッチシステム。
【請求項１５】
前記トーン発生器補助回路が、
入力側と出力側とを有する振動器アレーを具え、
該振動器アレーの前記入力側は前記電圧調整器の前記出力側に接続され、
接地されたエミッタと前記振動器アレーの前記出力側に接続されたベースとを有するトランジスタと
第１及び第２端を有する第３導体の誘導ループとを具え、
前記第１無線周波数発生器補助回路は、第１及び第２接続部を有する共振補助回路を具え、
前記共振補助回路は、第１及び第２プレートを有する第１コンデンサを有し、
前記第１コンデンサの前記第１プレートは前記第３導体の前記第１端に接続されて、前記共振補助回路の前記第１接続部を形成し
前記第１コンデンサの前記第２プレートは前記第３導体の前記第２端に接続されて、前記共振補助回路の前記第２接続部を形成し、
前記電圧調整器の出力側に前記共振補助回路の前記第１接続部が接続され、
前記トランジスタのコレクタ前記共振回路の第２接続部が接続され、
前記第１無線周波数発生器補助回路は、更に前記電圧調整器の前記出力側と前記共振補助回路の前記第１接続部との間に直列に接続されている請求項１４に記載のスイッチシステム。
【請求項１６】
前記振動器アレーが、更に前記電圧調整器の前記出力側と前記トランジスタの前記ベースとの間に接続されたインバータアレーを具えている請求項１５に記載のスイッチシステム。
【請求項１７】
前記第１無線周波数発生器補助回路が、第２無線周波数発生器補助回路の第２周波数とは異なる第１周波数に同調可能である請求項１１に記載のスイッチシステム。
【請求項１８】
前記第１トーン発生器と前記第１周波数発生きの補助回路が、少なくとも一つのプログラム可能なエンコーダ回路を具えている請求項１４に記載のスイッチシステム。
【請求項１９】
前記信号受信手段が、更に
前記第１無線周波数発生器補助回路によって送信された前記第１信号と第２無線周波数発生器補助回路によって送信された第２信号とを遮断する第１無線信号受信器と、
前記第１信号受信器と前記スイッチとの間に電気的に接続され、前記第１及び第２の遮断された信号に呼応してスイッチ信号を発生するデコード手段とを具えている請求項１１に記載のスイッチシステム。
【請求項２０】
前記デコード手段が、更に
一つ以上の信号プロファイルを記憶するためのメモリと、
前記第１又は第２の遮断された信号が前記メモリ内の前記一つ以上の信号に合致している否かを決めるための比較手段とを具え、
前記比較手段が前記第１遮断信号が前記メモリ内の一つ以上の信号プロファイルと一致していることを決めた場合に、前記デコード手段が前記第１遮断信号に呼応してスイッチ信号を発生し、
前記比較手段が前記第２遮断信号が前記メモリ内の一つ以上の信号プロファイルのいずれとも一致していないことを決めた場合に、前記デコード手段が前記第２遮断信号に呼応してスイッチ信号を発生せず、
前記スイッチは、前記デコード手段によって発生した前記スイッチ信号に呼応して前記第１位置から前記第２位置に変わる請求項１９に記載のスイッチシステム。
【請求項２１】
前記デコード手段が
前記第１遮断信号と前記第２遮断信号とを識別するマイクロプロセッサと、
一つ以上の信号プロファイルを前記メモリに入力する記憶手段とを具えている請求項２０に記載のスイッチシステム。
【請求項２２】
前記記憶手段が、更に
第３無線周波数補助回路によって送信された第３信号を遮断するための第２無線信号受信器を具えている請求項２１に記載のスイッチシステム。
【請求項２３】
更に、
第１及び第２端子を有する電気エネルギ貯留手段を具え、
該電気エネルギ貯留手段の前記第１端子は、前記電圧調整器の出力側に電気的に接続され、
前記電気エネルギ貯留手段の前記第２端子は、電気的に接地され、
これによって前記電気エネルギ貯留手段は前記電圧調整器の電気出力を貯留する請求項１１に記載のスイッチシステム。
【請求項２４】
更に、
第１及び第２端子を有する電気エネルギ貯留手段を具え、
該電気エネルギ貯留手段の前記第１端子は、前記整流器の出力側に電的に接続され、
前記電気エネルギ貯留手段の第２端子は電気的に接地され、
これによって、前記電気エネルギ貯留手段は前記整流器の電気エネルギを貯留する請求項１１に記載のスイッチシステム。
【請求項２５】
更に、
前記圧力付与手段と前記第１信号送信手段との間に接続されたトリガー手段を具え、
前記電気エネルギ貯留手段は、前記電圧調整器の前記出力信号を前記第１信号送信手段に補給するように構成されている請求項２３に記載のスイッチシステム。
【請求項２６】
前記電気エネルギ貯留手段が更に、
少なくとも一つの再充電可能な電池を具えている請求項３３に記載のスイッチシステム。
【請求項２７】
前記圧力付与手段が、手動圧力、ローラ、圧力プレート、圧力、トグル、ヒンジ、ノブ、スライダ、ラチェット、加撚機構、レリーズラッチ、ばね負荷装置、フットペダル、ゲームコンソール、車両作動装置、シート作動装置からなる群から選ばれている請求項１１に記載のスイッチシステム。
【請求項２８】
自蔵動力式スイッチシステムであって、
第１端と第２端を有する電気作動式変換器を具え、該電気作動式変換器は
電極を有する対向する第１、第２の主要表面と第１及び第２端を有する第１の電気作動式部材と、
前記第１電気作動式部材の前記第２主要表面に接合された可撓性基板とを具え、
該可撓性基板は、前記第１電気作動式部材の前記第１及び第２端に隣接する第１及び第２端を有し、
前記電気作動式変換器は、力が前記電気作動式変換器に付与されると、第１位置から第２位置に変形するように構成され、
前記電気作動式変換器は、前記電気作動式変換器から力が解放されると、前記第１位置から前記第２位置まで復帰するように構成され、
前記第１位置から第２位置まで変形すると、前記電気作動式変換器は電極付きの前記第１主要表面と電極付きの前記第２主要表面との間に第１電圧ポテンシャルを発生するように構成され、
前記第１位置から第２位置まで復帰すると、前記電気作動式変換器は電極付きの前記第１主要表面と電極付きの前記第２主要表面との間に第２電圧ポテンシャルを発生するように構成され、
前記電気作動式変換器の前記第１端、第２端又は前記第１端及び第２端を保持するための装着部材を具え、
該装着部材は、前記第１電気作動式部材の前記可撓性基板の前記第１端、第２端又は第１端及び第２端に隣接する少なくとも一つの保持手段を具え、
前記電気作動式変換器の前記第１端、第２端又は第１端と第２端の間に力を付与する圧力付与手段を具え、該圧力付与手段は、前記電気作動式変換器を前記第１位置から第２位置まで変形させるのに充分な力を付与するように構成され、これによって第１電圧ポテンシャルを発生させ、
前記第１電気作動式部材の電極付き前記第１主要表面に電気的に接続された第１導体と、
前記第１電気作動式部材の電極付き前記第２主要表面に電気的に接続された第２導体と、
前記第１及び第２導体の間に、前記電気作動式変換器の電極付き前記第１及び第２主要表面に並列に電気的に接続された整流器と、
入力側と出力側を有する電圧調整器とを具え、
前記電圧調整器の前記入力側は、前記整流器の出力側に電気的に接続され、
前記電圧調整器の前記出力側に電気的に接続された第１信号送信手段を具え
該第１信号送信手段は、アンテナに接続された第１無線周波数発生器を具え、
第１及び第２端子を有する電気エネルギ貯留手段を具え、
前記電気エネルギ貯留手段の前記第１端子は、前記電圧調整器の出力側に電気的に接続され、
前記電気エネルギ貯留手段の前記第２端子は電気的に接地され、
これによって、前記電気エネルギ貯留手段は前記電圧調整器の電気出力を貯留可能とし、
前記電気エネルギ貯留手段は、前記電圧調整器の記憶されている出力信号によって前記電圧調整器の前記電気出力を前記第１信号送信手段に補給するように構成され、
前記第１信号送信手段によって送信された第１信号を受信するための信号受信手段を具え、
該信号受信手段は、前記第１信号送信手段によって送信された前記第１信号に呼応して、第２信号を発生するように構成され、
第１位置と第２位置とを有するスイッチを具え、
該スイッチは前記信号受信手段と通じており、
前記スイッチは、前記第２信号に呼応して前記第１位置と第２位置との間で変わるように構成されている自蔵動力式スイッチシステム。
【請求項２９】
自蔵動力式スイッチシステムであって、
第１端と第２端を有する電気作動式変換器を具え、該電気作動式変換器は
電極を有する対向する第１、第２の主要表面と第１及び第２端を有する第１の電気作動式部材と、
前記第１電気作動式部材の前記第２主要表面に接合された可撓性基板とを具え、
該可撓性基板は、前記第１電気作動式部材の前記第１及び第２端に隣接する第１及び第２端を有し、
前記電気作動式変換器は、力が前記電気作動式変換器に付与されると、第１位置から第２位置に変形するように構成され、
前記電気作動式変換器は、前記電気作動式変換器から力が解放されると、前記第２位置から前記第１位置まで復帰するように構成され、
前記第１位置から第２位置まで変形すると、前記電気作動式変換器は電極付きの前記第１主要表面と電極付きの前記第２主要表面との間に第１電圧ポテンシャルを発生するように構成され、
前記第１位置から第２位置まで復帰すると、前記電気作動式変換器は電極付きの前記第１主要表面と電極付きの前記第２主要表面との間に第２電圧ポテンシャルを発生するように構成され、
前記電気作動式変換器の前記第１端、第２端又は前記第１端及び第２端を保持するための装着部材を具え、
該装着部材は、前記第１電気作動式部材の前記可撓性基板の前記第１端、第２端又は第１端及び第２端に隣接する少なくとも一つの保持手段を具え、
前記電気作動式変換器の前記第１端、第２端又は第１端と第２端の間に力を付与する圧力付与手段を具え、該圧力付与手段は、前記電気作動式変換器を前記第１位置から第２位置まで変形させるのに充分な力を付与するように構成され、これによって第１電圧ポテンシャルを発生させ、
前記第１電気作動式部材の電極付き前記第１主要表面に電気的に接続された第１導体と、
前記第１電気作動式部材の電極付き前記第２主要表面に電気的に接続された第２導体と、
前記第１及び第２導体の間に、前記電気作動式変換器の電極付き前記第１及び第２主要表面に並列に電気的に接続された整流器と、
入力側と出力側を有する電圧調整器とを具え、
前記電圧調整器の前記入力側は、前記整流器の出力側に電気的に接続され、
前記電圧調整器の前記出力側に電気的に接続された第１信号送信手段を具え
該第１信号送信手段は、アンテナに接続された第１無線周波数発生器を具え、
第１及び第２端子を有する電気エネルギ貯留手段を具え、
前記電気エネルギ貯留手段の前記第１端子は、前記整流器の出力側に電気的に接続され、
前記電気エネルギ貯留手段の前記第２端子は電気的に接地され、
これによって、前記電気エネルギ貯留手段は前記整流器の電気出力を貯留可能とし、
前記電気エネルギ貯留手段は、前記電圧調整器に格納されている出力信号によって前記電圧調整器の前記電気出力を前記第１信号送信手段に補給するように構成され、
前記第１信号送信手段によって送信された第１信号を受信するための信号受信手段を具え、
該信号受信手段は、前記第１信号送信手段によって送信された前記第１信号に呼応して、第２信号を発生するように構成され、
第１位置と第２位置とを有するスイッチを具え、
該スイッチは前記信号受信手段と通じており、
前記スイッチは、前記第２信号に呼応して前記第１位置と第２位置との間で変わるように構成されている自蔵動力式スイッチシステム。
【請求項３０】
前記電気エネルギ貯留手段が、更に
少なくとも一つの再充電可能な電池を具えている請求項２９に記載のスイッチシステム。
【請求項３１】
第１及び第２電気端子を横切って振動電圧を発生する電気・機械的発生手段と、
前記第１及び第２電気端子の間に電気的に接続された整流器と、
入力側と出力側とを有する電圧調整器とを具え、
該電圧調整器の前記入力側は前記整流器の出力側に電気的に接続され、
前記電圧調整器の前記出力側に電気気器に接続された第１信号送信手段を具え、
該第１信号送信手段は、送信機に接続された第１電磁信号発生器補助回路を具え、
前記第１信号送信手段によって送信された第１電磁信号を受信するための信号受信手段を具え、
該信号受信手段は、前記第１信号送信手段によって送信された前記第１電気・機械信号に呼応して第２信号を発生するように構成され、
第１位置と第２位置とを有するスイッチを具え、
該スイッチは前記信号受信手段と通じており、
前記スイッチは、前記第２信号に呼応して前記第１位置と第２位置との間で変わるように構成されている、スイッチシステム。
【請求項３２】
前記電気・機械的発生手段が、圧電式変換器、強誘電体変換器、ユニモルフ、バイモルフ、モノモルフベンダ、非対称応力付勢型電気作動式装置、プレストレス付与型電気作動式装置、レインボー変換器、ムーニー変換器、サンダーアクチュエータ、回転磁気発生器、及び線型磁気発生器からなる群から選ばれている請求項３１に記載のスイッチシステム。
【請求項３３】
更に、
第１及び第２端子を有する電気エネルギ貯留手段を具え、
該電気エネルギ貯留手段の前記第１端子は、前記電圧調整器の出力側に電気的に接続され、
前記電気エネルギ貯留手段の前記第２端子は、電気的に接地され、
これによって前記電気エネルギ貯留手段は前記電圧調整器の電気出力を貯留し、
そして、前記電気エネルギ貯留手段は、前記電圧調整器の記憶されている出力電気信号によって、前記第１信号送信手段に前記電圧調整器の前記電気的出力を補給するように構成されている請求項３１に記載のスイッチシステム。
【請求項３４】
前記電気エネルギ貯留手段が、更に
少なくとも一つの再充電可能な電池を具えている請求項３３に記載のスイッチシステム。
【請求項３５】
更に、
第１及び第２端子を有する電気エネルギ貯留手段を具え、
該電気エネルギ貯留手段の前記第１端子は前記整流器の出力側に電気的に接続され、
それによって、前記電気エネルギ貯留手段は、前記整流器の電気的出力を格納可能となり、
前記電気エネルギ貯留手段の前記第２端子は電気的に接地され、
これによって、前記電気エネルギ貯留手段は、前記電圧調整器の前記電気的出力を、前記整流器の出力電気信号によって前記第１信号送信手段に補給するように構成されている請求項３１に記載のスイッチシステム。
【請求項３６】
前記電気エネルギ貯留手段が、更に
少なくとも一つの再充電可能な電池を具えている請求項３５に記載のスイッチシステム。
【請求項３７】
前記第１信号送信手段が、
アンテナに接続された第１無線周波数発生器補助回路と、
入力側と出力側とを有するトーン発生器補助回路とを具え、
前記トーン発生器補助回路の前記入力側が、前記電圧調整器の前記出力側に接続され、
前記トーン発生器補助回路の前記出力側が、前記第１無線周波数発生器補助回路に接続されている請求項３１に記載のスイッチシステム。
【請求項３８】
前記第１トーン発生器と前記第１無線周波数発生器との補助回路が少なくとも一つのプログラム可能なエンコーダ回路を具え、
該第１のプログラム可能な各エンコーダ回路が、プログラムされて一つ以上の独特なコードを発生するように構成され、
そして、前記第１のプログラム可能な各エンコーダ回路によって発生した前記独特な各コードは、他の前記第１プログラム可能エンコーダ回路によって発生した独特なコードとは異なっている請求項３１に記載のスイッチシステム。
【請求項３９】
更に、
アンテナに接続された少なくとも一つの第２のプログラム可能なエンコーダ回路を具えた第２信号送信手段を具え、
前記各第２プログラム可能エンコーダ回路は、無線周波数発生補助回路とトーン発生補助回路を具え、
前記各第２プログラム可能エンコーダ回路は一つ以上の独特なコードを発生するように構成され、
そして、前記各第２プログラム可能エンコーダ回路によって発生した前記各独特なコードは、前記各第１プログラム可能エンコーダ回路によって発生した前記各独特なコードとは異なり、且つ他の前記各第２プログラム可能エンコーダ回路によって発生した前記各独特なコードとも異なっている請求項３８に記載のスイッチシステム。
【請求項４０】
前記信号受信手段が、更に
前記第１又は第２信号送信手段によって送信されたコードを遮断する第１無線信号受信器と、
前記無線信号受信器と前記スイッチとの間に電気的に接続されて、前記第１及び第２の遮断されたコードに呼応してスイッチ信号を発生するデコード手段とを具えている請求項３９に記載のスイッチシステム。
【請求項４１】
前記デコード手段が、更に
一つ以上の信号プロファイルを記憶するためのメモリと、
前記第１又は第２の遮断されたコードが、前記メモリ内の前記一つ以上信号プロファイルに一致している否かを決める比較手段とを具え、
前記比較手段が、前記第１の遮断コードが前記メモリ内の前記一つ以上の信号プロファイルと一致していることを決めると、前記デコード手段は前記第１の遮断コードに呼応してスイッチ信号を発生し、
前記比較手段が、前記第２の遮断コードが前記メモリ内の前記一つ以上の信号プロファイルのいずれとも一致していないことを決めると、前記デコード手段は前記第２の遮断コードに呼応してスイッチ信号を発生せず、
そして、前記スイッチは、前記デコード手段から発せられる前記スイッチ信号に呼応して、前記第１位置から前記第２位置に変わるように構成されている請求項４０に記載のスイッチシステム。
【請求項４２】
前記デコード手段が、
前記第１遮断信号と前記第２遮断信号とを識別するマイクロプロセッサと、
一つ以上の信号プロファイルを前記メモリに入力する記憶手段とを具えている請求項４１に記載のスイッチシステム。
【請求項４３】
独特なコードが、識別、トグル、オン、オフ、曖昧、曖昧でない、作用、及び作用モードのパーセントからなる群から選ばれた作用コードを具えている請求項３９に記載のスイッチシステム。
【請求項４４】
前記一つ以上の信号プロファイルが、識別、トグル、オン、オフ、曖昧、曖昧でない、作用、及び作用モードのパーセントからなる群から選ばれた作用コードを具えている請求項４１に記載のスイッチシステム。
【請求項４５】
前記信号受信手段が、更に
前記デコード手段によって発せられた前記スイッチ信号を受信すると、作動信号を送信する信号リレー送信機と、
前記信号リレー送信機からの前記作動信号に呼応して、第１位置から第２位置へ変わるように構成された第２スイッチとを具えている請求項４１に記載のスイッチシステム。
【請求項４６】
更に、
前記独特のコードを前記信号送信手段から前記一つ以上の信号プロファイルを記憶するための前記メモリに送信するための、第１及び第２端を有するプログラミングム・ジャンパを具え、
前記信号送信手段は、前記第１プログラム可能エンコーダ回路を前記プログラミング・ジャンパの前記第１端に接続するための送信機ジャンパ接続部を具え、
そして、前記信号受信手段は前記メモリを前記プログラミング・ジャンパの前記第２端に接続するための受信機ジャンパ接続部を具えている請求項４１に記載のスイッチシステム。
【請求項４７】
前記第１又は第２のプラグラム可能なエンコーダ回路にプログラムされた前記一つ以上の独特なコードは、前記一つ以上の独特なコードを最初にプログラムした後は変更不可能である請求項３９に記載のスイッチシステム。
【請求項４８】
前記第１又は第２のプラグラム可能なエンコーダ回路にプログラムされた前記一つ以上の独特なコードは、二進コードである請求項３９に記載のスイッチシステム。
【請求項４９】
前記振動アレーが、更に前記電圧調整器の前記出力側と前記トランジスタのベースとの間に接続されたインバータアレーを具えている請求項９に記載のスイッチシステム。
【請求項５０】
前記無線周波数チョークが誘導子を具えている請求項４９に記載のスイッチシステム。
【請求項５１】
前記第１無線周波数発生器の補助回路が、第２無線周波数発生器の補助回路の第２周波数とは異なる第１周波数に同調可能である請求項１０に記載のスイッチシステム。
【請求項５２】
前記第１トーン発生器と前記第１無線周波数発生器の補助回路が、少なくとも一つのプログラム可能なエンコーダ回路を具えている請求項１０に記載のスイッチシステム。
【請求項５３】
前記信号受信手段が、更に
前記第１無線周波数発生器補助回路によって送信された前記第１信号と前記第２無線周波数発生器補助回路によって送信された前記第２信号とを遮断する第１無線信号受信機と、
前記無線信号受信機と、前記第１及び第２の遮断された信号に呼応してスイッチ信号を発生する前記スイッチとの間に電気的に接続されたデコード手段とを具えている請求項１に記載のスイッチシステム。
【請求項５４】
前記デコード手段が、更に
一つ以上の信号プロファイルを記憶するためのメモリと、
前記第１又は第２の遮断された信号が前記メモリ内の前記一つ以上のプロファイル信号に合致している否かを決めるための比較手段とを具え、
前記比較手段が前記第１遮断信号が前記メモリ内の一つ以上の信号プロファイルと一致していることを決めた場合に、前記デコード手段が前記第１遮断信号に呼応してスイッチ信号を発生し、
前記比較手段が前記第２遮断信号が前記メモリ内の一つ以上の信号プロファイルのいずれとも一致していないことを決めた場合に、前記デコード手段が前記第２遮断信号に呼応してスイッチ信号を発生せず、
前記スイッチは、前記デコード手段によって発生した前記スイッチ信号に呼応して前記第１位置から前記第２位置に変わる請求項５３に記載のスイッチシステム。
【請求項５５】
前記デコード手段が
前記第１遮断信号と前記第２遮断信号とを識別するマイクロプロセッサを具えている請求項５４に記載のスイッチシステム。
【請求項５６】
前記デコード手段が
一つ以上の信号プロファイルを前記メモリに入力する記憶手段を具えている請求項５５に記載のスイッチシステム。
【請求項５７】
前記記憶手段が、更に
第３無線周波数補助回路によって送信された第３信号を遮断するための第２無線信号受信器を具えている請求項５６に記載のスイッチシステム。
【請求項５８】
自蔵動力式スイッチシステムであって、
第１及び第２電気端子を横切って電圧を発生させる電気・機械的発生器と、
入力側と出力側とを有する電圧調整器とを具え、
該電圧調整器の前記入力側は、前記第１及び第２電気端子と電気的に接続され、
前記電圧調整器の出力側に電気的に接続された第１信号送信手段を具え、
該第１信号送信手段は、送信機に接続された第１電磁信号発生器補助回路と、
入力側と出力側とを有する第１トーン発生器補助回路とを具え、
該トーン発生器補助回路の前記入力側は、前記電圧調整器の前記出力側に接続され、
前記トーン発生器補助回路の前記出力側は、前記第１電磁信号発生器補助回路に接続され、
前記第１トーン発生器と前記電磁信号発生器の補助回路は少なくとも一つのプログラム可能なエンコーダ回路を具え、
そして、前記各第１プログラム可能エンコーダ回路は、一つ以上の独特なコードを発生するようにプログラム可能に構成され、
そして、各第１プログラム可能エンコーダ回路によって発生した独特な各コードは、他の前記第１プログラム可能エンコーダ回路によって発生した独特な各コードとは異なり、
前記第１信号送信手段によって送信された第１電磁信号を受信する信号受信手段を具え、
該信号受信手段は、前記第１信号送信手段によって送信された前記第１電磁信号に呼応して、第２信号を発生させるように構成され、
第１位置と第２位置を有するスイッチを具え、
該スイッチは前記信号受信手段に通じており、
前記スイッチは前記第２信号に呼応して前記第１位置と前記第２位置との間で変わるように構成されている自蔵動力式スイッチシステム。
【請求項５９】
更に、
アンテナに接続された少なくとも一つの第２のプログラム可能なエンコーダ回路を具えた第２信号送信手段を具え、
前記各第２プログラム可能エンコーダ回路は第２無線周波数発生器補助回路と第２トーン発生器補助回路を具え、
前記各第２プログラム可能エンコーダ回路は、一つ以上の独特なコードを発生するようにプログラムされ、
そして、各第２プログラム可能エンコーダ回路によって発生した独特な各コードは、各第１プログラム可能エンコーダ回路によって発生した各独特なコードとは異なっており、他の第２プログラム可能エンコーダ回路によって発生した各独特なコードとも異なっている請求項５８に記載のスイッチシステム。